(57)【要約】【課題】ヘアーカーラーの温度がスピーディーに上昇するようにして毛髪のダメージを少なく、かつ、カールを素早く、上手く付けることができるようにする。【解決手段】毛髪を巻き付ける金属製の円筒からなるパンチングボビン１０を分割し、その分割したボビン片１０ａ〜ｃの間にブラシ状の櫛歯１７を直列に配置した櫛部１２ａ〜ｃを設ける。こうすることで、パンチングボビン１０に巻き付けた毛髪は、櫛部１２ａ〜ｃに係止され密着する。この状態で、ドライヤーを当てると、ドライヤーの熱風は、毛髪以外は遮るものがないので、直接金属製のパンチングボビン１０全体の温度を上昇させることができる。このように、スピーディーに温度を上昇させることで、毛髪のダメージを少なく、かつ、カールを素早く、上手く付けることができるようにする。【選択図】図２
2008264153.tif 000002
【特許請求の範囲】
【請求項１】
多数の孔を周囲に設け、毛髪を巻きつけるようにした筒形のパンチングボビンと、前記ボビンの両端に取り付ける筒状のボビンキャップとからなり、
前記パンチングボビンは、金属製の円筒をｎ（ｎ＝２、３、・・・ｎ）等分に分割し、その分割したボビン片の間にブラシ状の櫛歯を外向きとしてボビン片の長さ方向に直列に配置した櫛部を設け、
一方、ボビンキャップは筒の周端に嵌合溝を設け、その溝にボビン片の端部を嵌入するようにしたヘアーカーラー。
【請求項２】
上記パンチングボビンの表面にセラミックコーティングを施して、遠赤外線を発するようにした請求項１に記載のヘアーカーラー。
【請求項３】
上記パンチングボビンの表面に植毛した請求項１または２に記載のヘアーカーラー。
【請求項４】
上記ボビンキャップの嵌合溝に嵌入するボビン片の端部に、それぞれ、ボビン片の面に対して内側あるいは外側のいずれかに突出する突部を形成し、一方、ボビンキャップの嵌合溝の側部に、前記ボビン片の突部が嵌まる第１の嵌入部を設けた請求項１乃至３のいずれかに記載のヘアーカーラー。
【請求項５】
上記ボビンキャップの嵌合溝に嵌入する櫛部の端部に、櫛部の面に対して内側あるいは外側のいずれかに突出する突起を設け、一方、ボビンキャップの嵌合溝に、前記櫛部の突起が嵌まる第２の嵌入部を設けた請求項１乃至４のいずれかに記載のヘアーカーラー。
【請求項６】
上記ボビン片と櫛部の両側に、それぞれ、複数の係合片を所要の間隔で設け、隣接する前記ボビン片の側部から突出する係合片と櫛部の側部から突出する係合片が交互に組み合わさって係合するようにした請求項１乃至５のいずれかに記載のヘアーカーラー。
【発明の詳細な説明】
【技術分野】
【０００１】
この発明は、毛髪へのカール付けを容易に行なえるようにしたヘアーカーラーに関するものである。
【背景技術】
【０００２】
毛髪へのカール付けを容易に行なえるようにしたヘアーカーラーとして、例えば、（特許文献１）に示すものがある。
【０００３】
このヘアーカーラーは、図９に示すように、芯体１と毛髪巻き体２の間に金属体３を装着したものである。すなわち、円筒形の合成樹脂製の芯体１に、多数の通気孔を形成した金属体３を巻きつけ、その金属体３に毛髪巻き体２を巻きつけたものである。
【０００４】
円筒形の芯体１は、合成樹脂の一体成型による枠体で、多数の通気孔を形成して、通気性を向上させたものである。金属体３は、薄いアルミニウム板や鉄板などで形成し、芯体１に巻きつけられるようにしたものである。毛髪巻き体２は、表面に多数の細かいフック状の毛髪係止体をネットに密生させたもので、前記金属体３の全面に巻きつけるようにしてある。また、この毛髪巻き体２は、フック状以外のもの、例えば、スポンジ状の筒体を被せるようにしたものでも構わない。
【０００５】
このように構成されるカーラーでは、毛髪を毛髪巻き体２に巻付けてドライヤーの熱風を当てると、前記熱風の温熱が金属体３に伝わって金属体３の温度を上昇させる。このとき、金属体３は円筒状の芯体１と毛髪巻き体２の間に装着されているので、冷め難く保温性の良いものとなり、ドライヤーの熱風が常に当たっていなくてもヘアーカーラー全体の温度を上昇したまま保つことができるので、時間を掛けずに十分なカールを付けることができるというものである。
【０００６】
【特許文献１】特開２００１−２７５７３６号公報
【発明の開示】
【発明が解決しようとする課題】
【０００７】
しかしながら、上記のヘアーカーラーでは、多数の細かいフック状の毛髪係止体を密生させた毛髪巻き体を巻きつけて金属体の表面全体を被っており、巻きつけた毛髪巻き体が通気孔を塞いで、ドライヤーから金属体への熱風の流入を妨げる。そのため、金属体の温度の上昇に時間が掛かる。このとき、カーラーに巻きつけた毛髪の表面は、ドライヤーの熱風に直接曝され続けることになり、その熱風によって毛髪が傷んでしまう問題が考えられる。このとき、毛髪巻き体を使用しなければ、先の問題は解消すると考えられるが、毛髪巻き体を使用しない場合は、毛髪を係止して金属体に密着させることができなくなり、カールを上手く仕上げられない問題が発生する。さらに、カーラーから巻きつけた毛髪を取り外す際に、表面全体に密生した多数の細かいフック状の毛髪係止体が毛髪に絡みつき、取り外しの邪魔をして取り外し難く、使い勝手も悪いという問題がある。
【０００８】
そこで、この発明の課題は、ヘアーカーラーの温度がスピーディーに上昇するようにして毛髪のダメージを少なく、かつ、カールも素早く、しかも上手く付けることができるようにするとともに、毛髪の取り外しも容易にできるようにして、使い勝手も良くすることである。
【課題を解決するための手段】
【０００９】
上記の課題を解決するため、この発明では、多数の孔を周囲に設け、毛髪を巻きつけるようにした筒形のパンチングボビンと、前記ボビンの両端に取り付ける筒状のボビンキャップとからなり、前記パンチングボビンは、金属製の円筒をｎ（ｎ＝２、３、・・・ｎ）等分に分割し、その分割したボビン片の間にブラシ状の櫛歯を外向きとしてボビン片の長さ方向に直列に配置した櫛部を設け、一方、ボビンキャップは筒の周端に嵌合溝を設け、その溝にボビン片の端部を嵌入するようにした構成を採用したのである。
【００１０】
このような構成を採用することにより、パンチングボビンに毛髪を巻き付けると、巻き付けた毛髪は、パンチングボビンを分割したボビン片の間の櫛部のブラシ状の櫛歯で係止して、前記ボビンに密着させることができる。この状態（ピンなどで固定するのが好ましい）で、ドライヤーを当てると、ドライヤーの熱風は、毛髪を通過して（毛髪以外は遮るものがない）、パンチングボビンに達すると、孔を介して内部へ侵入し、金属製のパンチングボビンの温度を直ちに上昇させることができる。このように、スピーディーに温度の上昇が行なわれるので、カールを素早く、かつ、上手く付けることができる。また、温度の上昇がスピーディーなので、毛髪のダメージも少なくできる。さらに、毛髪を櫛歯に通すことで、毛髪を整えて綺麗に巻きつけることができるので、カールの仕上がりも美しく、しかも取り外しの際の毛髪の絡みつきも防止できる。
【００１１】
このとき、パンチングボビンの表面にセラミックコーティングを施して、遠赤外線を発するようにした構成を採用することができる。
【００１２】
このような構成を採用することにより、パンチングボビンに毛髪を巻きつけて、ドライヤーを当てると、ドライヤーの熱風によって、直接パンチングボビンの表面のセラミックコーティングが熱せられ、遠赤外線が効率良く発せられる。こうして発せられる遠赤外線は、毛髪を芯から温めてカールの付を良くすることができる。
【００１３】
このとき、パンチングボビンの表面に植毛した構成を採用することができる。
【００１４】
このような構成を採用し、パンチングボビンの表面（孔を除く）に植毛することにより、肌触りを良くしてソフトイメージを与えることができる。また、植毛は保温効果を発揮してカールの仕上がりを向上させることができる。
【００１５】
また、このとき、ボビンキャップの嵌合溝に嵌入するボビン片の端部に、それぞれ、ボビン片の面に対して内側あるいは外側のいずれかに突出する突部を形成し、一方、ボビンキャップの嵌合溝の側部に、前記ボビン片の突部が嵌まる第１の嵌入部を設けた構成を採用することができる。
【００１６】
このような構成を採用することにより、ボビン片の端部をボビンキャップの嵌合溝に嵌める際に、嵌合溝の側部に設けた第１の嵌入部にボビン片の突部を嵌める。このとき、突部は、ボビン片の面から垂直に突出しているので、ボビン片の左右への移動を規制して位置決めができる。また、前記嵌入部は、嵌合溝の側部に形成したことにより、突部を嵌めると、抜け止めとしても作用することができる。
【００１７】
また、ボビンキャップの嵌合溝に嵌入する櫛部の端部に、櫛部の面に対して内側あるいは外側のいずれかに突出する突起を設け、一方、ボビンキャップの嵌合溝に、前記櫛部の突起が嵌まる第２の嵌入部を設けた構成を採用することができる。
【００１８】
このような構成を採用することにより、ボビン片の場合と同様に櫛部の位置決めができる。
【００１９】
また、このとき、ボビン片と櫛部の両側に沿って、それぞれ、複数の係合片を所要の間隔で設け、隣接する前記ボビン片の側部から突出する係合片と櫛部の側部から突出する係合片が交互に組み合わさって係合するようにした構成を採用することができる。
【００２０】
このような構成を採用することにより、隣接するボビン片と櫛部の係合片が交互に嵌まり合って相互に支持するので、連結されたボビン片と櫛部の強度を高めることができる。なお、所要の間隔とは、複数の係合片を交互に組合すことのできる間隔である。
【発明の効果】
【００２１】
この発明は、以上のように構成したことにより、毛髪のダメージを少なく、かつ、カールを素早く、上手く付けることができる。
【発明を実施するための最良の形態】
【００２２】
以下、この発明を実施するための最良の形態を図面に基づいて説明する。
【００２３】
この形態のヘアーカーラーは、図１に示すように、毛髪を巻き付けるパンチングボビン１０と、前記ボビン１０の両端に取り付ける筒状のボビンキャップ１１とからなり、前記パンチングボビン１０に、櫛部１２ａ〜ｃを取り付けた構成となっている。
【００２４】
すなわち、パンチングボビン１０は、金属製の円筒の周囲に多数の孔９を設けたもので、この形態では、図２のように、３等分に分割し、その分割したボビン片１０ａ〜ｃの間に、ブラシ状の櫛歯を外向きにしてボビン片１０ａ〜ｃの長さ方向に直列に配置した櫛部１２ａ〜ｃを設ける構成となっている。
【００２５】
前記ボビン片１０ａ〜ｃは、両端（図では上下端）に突部１３が設けられている。前記突部１３は、ボビン片１０ａ〜ｃの端部を切欠いて内側に突出するように９０度に折り曲げ、その際、図４のように、三角形状として突部１３の下部を長くしたもので、後述のボビンキャップ１１の第１の嵌入部１４に嵌合させるようになっている。
【００２６】
なお、前記突部１３は、この形態ではボビン片１０ａ〜ｃの内側へ突出させるようにしたが、これに限定されるものではなく、ボビン片１０ａ〜ｃの外側へ突出させるようにしてもよい。その場合は、ボビンキャップ１１の第１の嵌入部１４の位置も、それに合わせて変更する必要があることは当然である。また、突部１３は、ボビン片１０ａ〜ｃの端部を切欠き、折り曲げて形成したものに限定されるものではなく、例えば、突起のようなものを取り付けたり、プレスで形成したりしても良いことは明白である。
【００２７】
このボビン片１０ａ〜ｃの両側には、櫛部１２ａ〜ｃと係合するための係合片１５が設けられている。前記係合片１５は、Ｌ形にして係合する片の部分が、ボビン片１０ａ〜ｃよりも内側となるようにしたもので、後述の櫛部１２ａ〜ｃの裏面と接するようにしてある。また、係合片１５は、図２のように、所要の間隔を置いて設けることで、後述の櫛部１２ａ〜ｃの係合片１６と交互に組み合わさって係合し合うようにしてある。
【００２８】
櫛部１２ａ〜ｃは、図２のように、樹脂製の櫛歯１７を基部１８に植えた構成となっている。また、この基部１８には、上下の端部に突起１９を設けてある。前記突起１９は、この形態では基部１８の前面に設けてあり、図３のように、後述のボビンキャップ１１の第２の嵌入部２０に嵌入するようになっている。
【００２９】
また、櫛部１２ａ〜ｃの両側には、ボビン片１０ａ〜ｃと同様なＬ形の係合片１６が、所要の間隔で設けられており、ボビン片１０ａ〜ｃの係合片１５と交互に組み合わさって係合し、ボビン片１０ａ〜ｃの裏面に接するようになっている。
【００３０】
なお、この形態では、パンチングボビン１１を３等分に分割したものを示したが、これに限定されるものではない。例えば、ボビン片１０ａ〜ｃの間に配置する櫛部１２ａ〜ｃの数に（毛髪との係合具合を調整できる）合わせて適宜分割数を変更するようにしても良い。
【００３１】
一方、ボビンキャップ１１は、樹脂製の筒の開口の一方を朝顔状に広げたもので、他方は、図２のように、嵌合溝２１を形成したものとなっている。また、この嵌合溝２１の内壁の内側は、外側よりも長くして、ボビン片１０ａ〜ｃを嵌入する際のガイドとして嵌合溝２１への嵌入を容易にするとともに、嵌合溝２１へ嵌入したボビン片１０ａ〜ｃを支持して強度のアップを図っている。
【００３２】
この嵌合溝２１には、この形態では、図２及び図３のように、３箇所の第１の嵌入部１４が設けてある。前記第１の嵌入部１４は、嵌合溝２１の内側の側部に（１２０度の間隔で）設けた図４のような嵌合孔で、ボビン片１０ａ〜ｃの突部１３が嵌入するようになっている。このとき、嵌入した突部１３は、前記第１の嵌入部（以下、嵌合孔とする）１４に嵌合すると、左右の移動を規制してボビン片１０ａ〜ｃの位置を決める。また、図４のように、突部１３は、三角形の底部が嵌合孔１４に当接して抜け止めとしても作用する。
【００３３】
さらに、嵌合溝２１には、櫛部１２ａ〜ｃの突起１９の入る３箇所の第２の嵌入部２０が、嵌合溝２１に（１２０度間隔で）設けられている。この第２の嵌入部２０は、この形態では、スリット状のもので、嵌合溝２１の外側の内壁に設けられている。この第２の嵌入部（以下、スリットとする）２０に、櫛部１２ａ〜ｃの突起１９を嵌入すると、櫛部１２ａ〜ｃの左右への移動を規制して位置を決めること（固定）ができるので、組み立て作業が容易にできる。なお、ここでは、第２の嵌入部２０をスリット状としたが、例えば、穴状にして見えないようにしても良い。
【００３４】
この形態は、上記のように構成されており、このヘアーカーラーは、例えば、ボビン片１０ａ〜ｃの係合片１５と櫛部１２ａ〜ｃの係合片１６を組み合わせて、図５（ｂ）のように係合し、パンチングボビン１０を図５（ａ）のように形成したのち、ボビンキャップ１１を取り付けて、図１のように組み立てる。このとき、ボビン片１０ａ〜ｃの突部１３と、ボビンキャップ１１の嵌合溝２１の嵌合孔１４を合わせて嵌入する（このとき、ボビンキャップ１１は、樹脂製なので嵌合溝２１に押し込むようにすれば良い）。さらに、櫛部１２ａ〜ｃの突起１９と嵌合溝２１のスリット２０を合わせて嵌める。その際、ボビン片１０ａ〜ｃと櫛部１２ａ〜ｃとは、図５（ｂ）で示したように、係合片１５、１６が組み合わさって相互に係合し、連結されて仮固定状態となっているので、容易に嵌入ができる。また、嵌入後は、ボビン片１０ａ〜ｃの突部１３が、先に述べたように、ボビンキャップ１１の嵌合孔１４に係合しているので抜けなくなる。
【００３５】
このようにして組み立てられたカーラーは、パンチングボビン１０に毛髪を巻き付けると、巻き付けられた毛髪は、ボビン片１０ａ〜ｃの間の櫛歯１７が係止して前記ボビン１０に密着させることができる。このとき、毛髪は、櫛歯１７に通すことで整えられ、前記ボビン１０に綺麗に巻きつけられるのである。この状態で、ドライヤーを当てると（できれば、ピンなどで固定しておくのが好ましいが）、ドライヤーの熱風は、毛髪を通過したのち、パンチングボビン１０に達すると、孔９を介して内部へ侵入し（毛髪以外は遮るものがないので）、金属製のパンチングボビン１０全体の温度を直ちに上昇させることができる。このように、温度の上昇がスピーディーなので、カールを素早く、しかも、毛髪を整えた状態で上手く綺麗につけることができる。その結果、ドライヤーの熱風を必要以上に毛髪に当てなくて良いので、毛髪に与えるダメージを最少にすることができる。
【実施例１】
【００３６】
図６に示す実施例１のヘアーカーラーは、図２のカーラーのように、ボビン片１０ａ〜ｃや櫛部１２ａ〜ｃに突部１３や突起１９を設けないで、組み立てられるようにしたものである。
【００３７】
すなわち、この実施例１のヘアーカーラーのパンチングボビン１０は、図６のように、４等分に分割し、分割したボビン片１０´ａ〜ｄの間に、ブラシ状の櫛歯１７を外向きにしてボビン片１０´ａ〜ｄの長さ方向に直列に配置した櫛部１２´ａ〜ｄを設ける構成となっている。
【００３８】
前記ボビン片１０´ａ〜ｄは、図６のように、両端に段差を設けて、ボビンキャップ１１´の嵌合溝２１´に嵌入するようにしてある。
【００３９】
また、櫛部１２´ａ〜ｄは、図７（ｂ）のように、樹脂製の櫛歯１７を植えた基部１８´の断面をコの字型に形成し、その並行なコの字の両足部分を斜めにカットすると同時に、その両足の根本部分に溝２２を設けて図７（ａ）、（ｂ）のように、ボビン片１０´ａ〜ｄの側部が嵌入するようにしてある。
【００４０】
一方、ボビンキャップ１１´は、図６のように、円形の周の端面に嵌合溝２１´を設けたものとなっており、前記嵌合溝２１´から周縁までの距離とボビン片１０´ａ〜ｄを折り曲げた段までの長さ（水平部分）がほぼ等しくなるようにして、ボビン片１０´ａ〜ｄを嵌合溝２１´に嵌めた際に、ボビン片１０´ａ〜ｄとボビンキャップ１１´に段差を生じないようにしてある。
【００４１】
このように構成されるヘアーカーラーは、ボビンキャップ１１´の嵌合溝２１´にボビン片１０´ａ〜ｄの段の先端部分を嵌める。そのボビンキャップ１１´に取り付けたボビン片１０´ａ〜ｄの間に櫛部１２´ａ〜ｄを嵌め込むのである。このとき、櫛部１２´ａ〜ｄのコの字の部分は、内側に向けて斜めにカットしてあるので、ボビン片１０´ａ〜ｄの間に容易に嵌め込むことができる。その際、カチット音がするまで嵌めこむと、ボビン片１０´ａ〜ｄの側部を櫛部１２´ａ〜ｄの基部１８´の溝２２に嵌め込むことができる。このように前記溝２２に嵌め込むと、ボビン片１０´ａ〜ｄは弾性によって溝２２から外れなくなる。このように櫛部１２´ａ〜ｄに溝２２を設けてボビン片１０´ａ〜ｄを係合するようにしたので、櫛部１２´ａ〜ｄを嵌め込むだけで簡単に組み立てができる。他の構成及び作用効果については、実施形態と同じなので、説明は省略する。
【実施例２】
【００４２】
この実施例２は、パンチングボビン１０についてのもので、図８（ａ）は、パンチングボビン１０の表面（当然孔を除く）にセラミックコーティング２５を施したものである。このようにセラミックコーティング２５を施すことで、パンチングボビン１０に毛髪を巻き付けてドライヤーを当てると、ドライヤーの熱風が直接（毛髪は介することになるが）セラミックコーティング２５に達して効率良く遠赤外線を発生させることができる。そのため、パンチングボビン１０に巻きつけた毛髪を芯から温めてカールの付を良くすることができるというものである。
【００４３】
図８（ｂ）は、静電植毛などにより、パンチングボビン１０の孔を除く表面に植毛２６したもので、例えば、髪に巻き付けた際に冷たさを感じないようにして、肌触りを良くしてソフトイメージを与えることができる。また、植毛が保温効果を発揮してカールの仕上がりを向上させることができる。
【００４４】
なお、図では示していないが、セラミックコーティング２５と植毛２６とを同時に施すようにしても良い。その場合は、ソフトタッチと遠赤外線による効果を同時に得られる。
【図面の簡単な説明】
【００４５】
【図１】実施形態の斜視図
【図２】実施形態の分解斜視図
【図３】実施形態の断面図
【図４】実施形態の要部断面図
【図５】（ａ）実施形態の要部断面図、（ｂ）（ａ）の拡大図
【図６】実施例１の分解斜視図
【図７】（ａ）実施例１の要部断面図、（ｂ）（ａ）の拡大図
【図８】（ａ）実施例２の作用説明図、（ｂ）実施例２の作用説明図
【図９】従来例の分解斜視図
【符号の説明】
【００４６】
１０  パンチングボビン
１０ａ〜ｄ    ボビン片
１１  ボビンキャップ
１２ａ〜ｄ  櫛部
１３  突部
１４  嵌合孔
１５  係合片
１６  係合片
１７  櫛歯
１８  基部
１９  突起
２０  スリット
２１  嵌合溝
２５  セラミックコーティング
２６  植毛
【図１】
2008264153.tif 000003
【図２】
2008264153.tif 000004
【図３】
2008264153.tif 000005
【図４】
2008264153.tif 000006
【図５】
2008264153.tif 000007
【図６】
2008264153.tif 000008
【図７】
2008264153.tif 000009
【図８】
2008264153.tif 000010
【図９】
2008264153.tif 000011